(57)【要約】【課題】透光性ＯＬＥＤ中の複数の領域間の色差を抑制する。【解決手段】２つの導電層１１０は、互いに離間している。２つの導電層１１０のうちの一方は、発光部１６０において有機層１２０及び導電層１３０と重なっている。２つの導電層１１０のうちの他方は、第１透光部１６２において絶縁層１４０、有機層１２０及び導電層１３０と重なっている。絶縁層１４０は、発光部１６０を画定し、第１透光部１６２及び第２透光部１６４に亘って広がっている。これにより、第１透光部１６２及び第２透光部１６４の間の色差を抑制することができる。【選択図】図８
2018055816.tif 000002
【特許請求の範囲】
【請求項１】
発光部と、第１透光部と、前記発光部と前記第１透光部の間の第２透光部と、
前記発光部、前記第１透光部及び前記第２透光部に亘って広がる第１導電層と、
前記発光部内で前記第１導電層と重なる第２導電層と、
前記第１透光部内で前記第１導電層と重なり、前記第２導電層から離間した第３導電層と、
前記発光部を画定し、前記第１透光部及び前記第２透光部に亘って広がる絶縁層と、
を備える発光装置。
【請求項２】
請求項１に記載の発光装置において、
前記発光部、前記第１透光部及び前記第２透光部に亘って広がる有機層を備える発光装置。
【請求項３】
請求項２に記載の発光装置において、
前記有機層は、前記絶縁層に接する第１層を含み、
前記第１層は、導電性高分子材料を含む発光装置。
【請求項４】
請求項３に記載の発光装置において、
前記第１層は、塗布プロセスにより形成されている発光装置。
【発明の詳細な説明】
【技術分野】
【０００１】
本発明は、発光装置に関する。
【背景技術】
【０００２】
近年、透光性を有する有機発光ダイオード（ＯＬＥＤ）が開発されている。例えば特許文献１には、セグメント（具体的には、７セグメント）を表示する透光性ＯＬＥＤについて記載されている。このＯＬＥＤは、第１電極、有機層及び複数の第２電極を備えている。第１電極は、透明電極であり、セグメントとほぼ同一の形状を有している。有機層は、第１電極を覆っている。複数の第２電極は、第１電極と重なるように有機層上で並んでいる。これにより、光は、互いに隣接する２つの第２電極の間を透過することができる。このようにして、このＯＬＥＤは、透光性を有している。
【先行技術文献】
【特許文献】
【０００３】
【特許文献１】特開２０１６−１００１２６号公報
【発明の概要】
【発明が解決しようとする課題】
【０００４】
本発明者は、透光性ＯＬＥＤの新規な構造について検討した。このＯＬＥＤは、有機層、第１導電層、第２導電層及び第３導電層を備え、第２導電層及び第３導電層は、互いに離間しており、有機層及び第１導電層は、第２導電層及び第３導電層に亘って広がっている。本発明者が検討したところ、このようなＯＬＥＤを可視光が透過した場合、ＯＬＥＤ中の複数の領域間で色差が生じる場合があることが明らかとなった。
【０００５】
本発明が解決しようとする課題としては、透光性ＯＬＥＤ中の複数の領域間の色差を抑制することが一例として挙げられる。
【課題を解決するための手段】
【０００６】
請求項１に記載の発明は、
発光部と、第１透光部と、前記発光部と前記第１透光部の間の第２透光部と、
前記発光部、前記第１透光部及び前記第２透光部に亘って広がる第１導電層と、
前記発光部内で前記第１導電層と重なる第２導電層と、
前記第１透光部内で前記第１導電層と重なり、前記第２導電層から離間した第３導電層と、
前記発光部を画定し、前記第１透光部及び前記第２透光部に亘って広がる絶縁層と、
を備える発光装置である。
【図面の簡単な説明】
【０００７】
【図１】実施形態に係る発光装置を示す平面図である。
【図２】図１から導電層を取り除いた図である。
【図３】図２に示した発光部を示す断面図である。
【図４】図２に示した第１透光部を示す断面図である。
【図５】図２に示した第２透光部を示す断面図である。
【図６】図２に示した第３透光部を示す断面図である。
【図７】図２に示した第４透光部を示す断面図である。
【図８】図１及び図２に示した発光装置の断面の一例を示す図である。
【図９】発光部、第１透光部及び第２透光部のそれぞれの詳細の第１例を示す断面図である。
【図１０】発光部、第１透光部及び第２透光部のそれぞれの詳細の第２例を示す断面図である。
【図１１】実施例に係る発光装置を示す平面図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る発光装置１０を示す平面図である。図２は、図１から導電層１３０を取り除いた図である。図３は、図２に示した発光部１６０を示す断面図である。図４は、図２に示した第１透光部１６２を示す断面図である。図５は、図２に示した第２透光部１６４を示す断面図である。図６は、図２に示した第３透光部１６６を示す断面図である。図７は、図２に示した第４透光部１６８を示す断面図である。発光装置１０は、基板１００、複数の導電層１１０、有機層１２０、導電層１３０、絶縁層１４０、キャップ層１５０及び複数の発光部１６０を備えている。なお、説明のため、図１及び図２では、キャップ層１５０を示していない。
【００１０】
基板１００は、透光性を有している。一例において、基板１００は、ガラス基板である。図１〜図７に示す例において、基板１００は、第１面１０２及び第２面１０４を有している。複数の導電層１１０、有機層１２０、導電層１３０、絶縁層１４０及びキャップ層１５０は、第１面１０２上にある。第２面１０４は、第１面１０２の反対側にある。
【００１１】
導電層１１０は、透光性を有している。言い換えると、導電層１１０は、透明導電層である。一例において、導電層１１０は、ＩＴＯ（Ｉｎｄｉｕｍ  Ｔｉｎ  Ｏｘｉｄｅ）を含んでいる。
【００１２】
有機層１２０は、透光性を有しており、複数の発光層（ＥＭＬ）１２２（発光層（ＥＭＬ）１２２ａ及び発光層（ＥＭＬ）１２２ｂ）を含んでいる。ＥＭＬ１２２ａ及びＥＭＬ１２２ｂのそれぞれは、エレクトロルミネセンスにより光を発する有機化合物を含んでいる。ＥＭＬ１２２ａから出射される光の波長は、ＥＭＬ１２２ｂから出射される光の波長と異なっている。具体的には、ＥＭＬ１２２ａは、赤色の光（おおよそ６００ｎｍ以上７５０ｎｍ以下の波長の光）を発し、ＥＭＬ１２２ｂは、緑色の光（おおよそ５００ｎｍ以上５７０ｎｍ以下の波長の光）を発する。
【００１３】
導電層１３０は、透光性を有している。言い換えると、導電層１３０は、透明導電層である。一例において、導電層１３０は、ＭｇＡｇ合金を含んでいる。導電層１３０の厚さは相当に薄く、例えば、１５ｎｍ以下である。このため、導電層１３０は、透光性を有している。一例において、可視光（波長３８０ｎｍ以上７８０ｎｍ以下の光）についての導電層１３０の透過率は、６５％以上、好ましくは８０％以上である。
【００１４】
絶縁層１４０は、透光性を有している。一例において、絶縁層１４０は、無機絶縁層であり、具体的には、シリコン酸化物（ＳｉＯ２）を含んでいる。他の例において、絶縁層１４０は、有機絶縁層であってもよく、具体的には、ポリイミドを含んでいてもよい。
【００１５】
絶縁層１４０は、複数の開口１４２を有している。絶縁層１４０の開口１４２から露出している領域は、発光部１６０として機能しており、言い換えると、絶縁層１４０は、複数の発光部１６０を画定している。
【００１６】
キャップ層１５０は、透光性を有している。一例において、キャップ層１５０は、絶縁層である。キャップ層１５０は、導電層１３０を覆っている。このようにして、キャップ層１５０は、導電層１３０と空気層との屈折率段差を緩和し、透過率を向上させている。
【００１７】
複数の発光部１６０のそれぞれは、導電層１１０と導電層１３０の間の電圧によって光を発する。具体的には、導電層１１０は、絶縁層１４０の開口１４２と重なる領域内においてアノード（第１電極１１２）として機能する領域を有している。導電層１３０は、絶縁層１４０の開口１４２と重なる領域内においてカソード（第２電極１３２）として機能する領域を有している。複数の発光部１６０のうちの第１発光部１６０ａは、ＥＭＬ１２２ａから光を発する。複数の発光部１６０のうち第２発光部１６０ｂは、ＥＭＬ１２２ｂから光を発する。
【００１８】
なお、図１及び２に示す例において、発光装置１０は、３つの導電層１１０を備えている。３つの導電層１１０のうち中央の導電層１１０は、絶縁層１４０によって導電層１３０から電気的に絶縁されている。言い換えると、この導電層１１０は、アノードとして機能しておらず、ダミー導電層として機能している。
【００１９】
図１〜図７に示す例において、発光装置１０は、ボトムエミッションである。すなわち、ＥＭＬ１２２からの光は、基板１００の第２面１０４から外側へ出射される。
【００２０】
発光装置１０は、透光性を有している。より具体的には、基板１００、複数の導電層１１０、有機層１２０、導電層１３０、絶縁層１４０及びキャップ層１５０は、いずれも透光性を有している。このため、基板１００の第２面１０４側からは、基板１００の第１面１０２側の物体が透けて見える。同様にして、基板１００の第１面１０２側からは、基板１００の第２面１０４側の物体が透けて見える。
【００２１】
図３に示すように、発光部１６０は、基板１００、導電層１１０、有機層１２０、導電層１３０及びキャップ層１５０の積層を含んでいる。言い換えると、発光部１６０は、絶縁層１４０（図４〜図７）を有していない。発光部１６０において、有機層１２０は、ＥＭＬ１２２（図３に示す例では、ＥＭＬ１２２ａ）を含んでいる。
【００２２】
図４に示すように、第１透光部１６２は、基板１００、導電層１１０、絶縁層１４０、有機層１２０、導電層１３０及びキャップ層１５０の積層を含んでいる。第１透光部１６２において、有機層１２０は、ＥＭＬ１２２（図４に示す例では、ＥＭＬ１２２ａ）を含んでいる。
【００２３】
図５に示すように、第２透光部１６４は、基板１００、絶縁層１４０、有機層１２０、導電層１３０及びキャップ層１５０の積層を含んでいる。言い換えると、第２透光部１６４は、導電層１１０（図３、図４、図６及び図７）を有していない。第１透光部１６２において、有機層１２０は、ＥＭＬ１２２（図５に示す例では、ＥＭＬ１２２ａ）を含んでいる。特に図１及び図２に示した例では、第２透光部１６４は、互いに隣接する２つの導電層１１０の間にある。
【００２４】
図６に示すように、第３透光部１６６は、基板１００、導電層１１０、絶縁層１４０、有機層１２０、導電層１３０及びキャップ層１５０の積層を含んでいる。第３透光部１６６において、有機層１２０は、互いに重なった複数のＥＭＬ１２２（図６に示す例では、ＥＭＬ１２２ａ及びＥＭＬ１２２ｂ）を含んでいる。
【００２５】
図７に示すように、第４透光部１６８は、基板１００、導電層１１０、絶縁層１４０、有機層１２０、導電層１３０及びキャップ層１５０の積層を含んでいる。第４透光部１６８において、有機層１２０は、ＥＭＬ１２２を含んでいない。
【００２６】
図３〜図７に示すように、発光部１６０、第１透光部１６２、第２透光部１６４、第３透光部１６６及び第４透光部１６８は、共通の有機層（有機層１２０）、共通の第１導電層（導電層１３０）及び共通のキャップ層（キャップ層１５０）を有している。言い換えると、有機層１２０、導電層１３０及びキャップ層１５０は、発光部１６０、第１透光部１６２、第２透光部１６４、第３透光部１６６及び第４透光部１６８に亘って広がっている。特に、図３〜図５に示すように、発光部１６０、第１透光部１６２、第２透光部１６４及び第３透光部１６６は、共通の発光層（ＥＭＬ１２２ａ）を有している。言い換えると、ＥＭＬ１２２ａは、発光部１６０、第１透光部１６２、第２透光部１６４及び第３透光部１６６に亘って広がっている。さらに、図１及び２に示す例では、第１発光部１６０ａ及び第２発光部１６０ｂは、共通の第１導電層（導電層１３０）を有している。言い換えると、導電層１３０は、第１発光部１６０ａ及び第２発光部１６０ｂに亘って広がっている。
【００２７】
図４〜図７に示すように、第１透光部１６２、第２透光部１６４、第３透光部１６６及び第４透光部１６８は、共通の絶縁層（絶縁層１４０）を有している。言い換えると、絶縁層１４０は、第１透光部１６２、第２透光部１６４、第３透光部１６６及び第４透光部１６８に亘って広がっている。
【００２８】
図８は、図１及び図２に示した発光装置１０の断面の一例を示す図である。なお、本図では、説明のため、キャップ層１５０（図３〜図７）を示していない。本図に示す例において、発光装置１０は、３種類の領域、すなわち、発光部１６０、第１透光部１６２及び第２透光部１６４を有している。図３を用いて説明したように、発光部１６０は、基板１００、導電層１１０、有機層１２０及び導電層１３０の積層を有している。図４を用いて説明したように、第１透光部１６２は、基板１００、導電層１１０、絶縁層１４０、有機層１２０及び導電層１３０の積層を有している。図５を用いて説明したように、第２透光部１６４は、基板１００、絶縁層１４０、有機層１２０及び導電層１３０の積層を有している。
【００２９】
発光装置１０は、２つの導電層１１０を備えている。２つの導電層１１０は、互いに離間している。２つの導電層１１０のうちの一方（第２導電層：本図に示す例では、第１電極１１２として機能する領域を有する導電層１１０）は、発光部１６０において有機層１２０及び導電層１３０と重なっている。２つの導電層１１０のうちの他方（第３導電層：本図に示す例では、ダミー導電層１１４）は、第１透光部１６２において絶縁層１４０、有機層１２０及び導電層１３０と重なっている。
【００３０】
有機層１２０は、発光部１６０、第１透光部１６２及び第２透光部１６４に亘って広がっており、特に本図に示す例では、互いに離間した２つの導電層１１０に亘って広がっている。これにより、発光部１６０、第１透光部１６２及び第２透光部１６４の間の色差を抑制することができる。
【００３１】
詳細には、外部からの可視光（波長３８０ｎｍ以上７８０ｎｍ以下の光）が発光装置１０を透過した場合、この可視光は、発光装置１０の透過前後で異なる色を有するようになることがある。このような現象は、一例において、特定の波長の光が強め合う干渉が有機層１２０によって生じる場合（言い換えると、有機層１２０によってマイクロキャビティが形成される場合）、又は他の例において、有機層１２０が特定の波長の光を吸収する場合に生じる。本図に示す例では、有機層１２０は、発光部１６０、第１透光部１６２及び第２透光部１６４に亘って広がっている。このため、仮に、可視光の色がこのように変化しても、発光部１６０、第１透光部１６２及び第２透光部１６４の間の色差を抑制することができる。
【００３２】
さらに、有機層１２０の厚さは、発光部１６０、第１透光部１６２及び第２透光部１６４に亘って実質的に一定である。言い換えると、発光部１６０における有機層１２０の厚さは、第１透光部１６２における有機層１２０の厚さ及び第２透光部１６４における有機層１２０の厚さのそれぞれと実質的に等しく、具体的には、第１透光部１６２における有機層１２０の厚さの例えば９５％以上１０５％以下かつ第２透光部１６４における有機層１２０の厚さの例えば９５％以上１０５％以下である。これにより、発光部１６０、第１透光部１６２及び第２透光部１６４の間の色差をさらに抑制することができる。
【００３３】
詳細には、特定の波長の光が強め合う干渉が有機層１２０の上面と下面の間で生じることがある。本図に示す例では、仮に、このような干渉が生じたとしても、有機層１２０の厚さは、発光部１６０、第１透光部１６２及び第２透光部１６４に亘って実質的に一定である。このため、発光部１６０の有機層１２０で干渉が生じる波長、第１透光部１６２の有機層１２０で干渉が生じる波長及び第２透光部１６４の有機層１２０で干渉が生じる波長は、互いにほぼ等しくなる。これにより、発光部１６０、第１透光部１６２及び第２透光部１６４の間の色差をさらに抑制することができる。
【００３４】
絶縁層１４０は、発光部１６０を画定し、第１透光部１６２及び第２透光部１６４に亘って広がっており、特に本図に示す例では、互いに離間した２つの導電層１１０に亘って広がっている。これにより、第１透光部１６２及び第２透光部１６４の間の色差を抑制することができる。
【００３５】
詳細には、外部からの可視光（波長３８０ｎｍ以上７８０ｎｍ以下の光）が発光装置１０を透過した場合、この可視光は、発光装置１０の透過前後で異なる色を有するようになることがある。このような現象は、一例において、特定の波長の光が強め合う干渉が絶縁層１４０によって生じる場合（言い換えると、絶縁層１４０によってマイクロキャビティが形成される場合）、又は他の例において、絶縁層１４０が特定の波長の光を吸収する場合に生じる。本図に示す例では、絶縁層１４０は、第１透光部１６２及び第２透光部１６４に亘って広がっている。このため、仮に、可視光の色がこのように変化しても、第１透光部１６２及び第２透光部１６４の間の色差を抑制することができる。
【００３６】
さらに、絶縁層１４０の厚さは、第１透光部１６２及び第２透光部１６４に亘って実質的に一定である。言い換えると、第２透光部１６４における絶縁層１４０の厚さは、第１透光部１６２における絶縁層１４０の厚さと実質的に等しく、具体的には、第１透光部１６２における絶縁層１４０の厚さの例えば９５％以上１０５％以下である。これにより、第１透光部１６２及び第２透光部１６４の間の色差をさらに抑制することができる。
【００３７】
詳細には、特定の波長の光が強め合う干渉が絶縁層１４０の上面と下面の間で生じることがある。本図に示す例では、仮に、このような干渉が生じたとしても、絶縁層１４０の厚さは、第１透光部１６２及び第２透光部１６４に亘って実質的に一定である。このため、第１透光部１６２の絶縁層１４０で干渉が生じる波長及び第２透光部１６４の絶縁層１４０で干渉が生じる波長は、互いにほぼ等しくなる。これにより、第１透光部１６２及び第２透光部１６４の間の色差をさらに抑制することができる。
【００３８】
図９は、発光部１６０、第１透光部１６２及び第２透光部１６４のそれぞれの詳細の第１例を示す断面図である。本図に示す例において、有機層１２０は、正孔注入層（ＨＩＬ）１２０ａ、正孔輸送層（ＨＴＬ）１２０ｂ、発光層（ＥＭＬ）１２０ｃ（図１〜図７に示したＥＭＬ１２２）及び電子輸送層（ＥＴＬ）１２０ｄを含んでいる。なお、有機層１２０に含まれる層は、本図に示す例に限定されるものではない。一例において、有機層１２０は、ＥＴＬ１２０ｄと導電層１３０の間に電子注入層（ＥＩＬ）をさらに含んでいてもよい。
【００３９】
本図に示す例において、有機層１２０の厚さは相当に厚く、例えば５００ｎｍ以上、好ましくは例えば１０００ｎｍ以上である。より具体的には、本図に示す例において、有機層１２０のうちのＨＩＬ１２０ａ（すなわち、導電層１１０及び絶縁層１４０に接する層（第１層））の厚さが相当に厚く、例えば１００ｎｍ以上、好ましくは例えば２００ｎｍ以上である。有機層１２０の厚さがこのように厚い場合、有機層１２０の上面と下面の間で可視光（波長３８０ｎｍ以上７８０ｎｍ以下の光）による強め合いの干渉が生ずること、すなわちマイクロキャビティが生ずることが防止される。このため、発光部１６０、第１透光部１６２及び第２透光部１６４間での色差が小さくなっている。
【００４０】
詳細には、有機層１２０の上面と下面の間で可視光による強め合いの干渉が生ずるための条件は、以下の式（１）に示すようになる。
２Ｌ＝ｍλ      （１）
ただし、Ｌは有機層１２０の上面と下面の間の光路長、ｍは１以上の整数、λは可視光の波長である。有機層１２０の厚さが厚い場合、式（１）の光路長Ｌは大きいものとなる。この場合に式（１）を満たすためには、整数ｍが大きい必要がある。一方、このような高次の干渉は、実際にはほとんど生じ得ない。このようにして、本図に示す例では、有機層１２０の上面と下面の間で可視光（波長３８０ｎｍ以上７８０ｎｍ以下の光）による強め合いの干渉が生ずること、すなわちマイクロキャビティが生ずることが防止されている。
【００４１】
本図に示す例において、ＨＩＬ１２０ａの厚さは、発光部１６０、第１透光部１６２及び第２透光部１６４に亘って実質的に一定である。言い換えると、発光部１６０におけるＨＩＬ１２０ａの厚さは、第１透光部１６２におけるＨＩＬ１２０ａの厚さ及び第２透光部１６４におけるＨＩＬ１２０ａの厚さのそれぞれと実質的に等しく、具体的には、第１透光部１６２におけるＨＩＬ１２０ａの厚さの例えば９５％以上１０５％以下かつ第２透光部１６４におけるＨＩＬ１２０ａの厚さの例えば９５％以上１０５％以下である。これにより、有機層１２０の厚さが発光部１６０、第１透光部１６２及び第２透光部１６４に亘って実質的に一定になる。
【００４２】
本図に示す例において、ＨＩＬ１２０ａは、導電性高分子材料、具体的には例えばＰＥＤＯＴ：ＰＳＳを含んでいる。このため、ＨＩＬ１２０ａの厚さが厚くても、発光部１６０を発光させるための電圧（すなわち、駆動電圧）が高くならないようにすることができる。
【００４３】
さらに、ＨＩＬ１２０ａは、塗布プロセスにより形成されている。具体的には、正孔注入材料を含むインクを塗布する。次いで、このインクを加熱する。これにより、ＨＩＬ１２０ａが形成される。
【００４４】
図１０は、発光部１６０、第１透光部１６２及び第２透光部１６４のそれぞれの詳細の第２例を示す断面図である。本図に示す例は、以下の点を除いて、図９に示した例と同様である。
【００４５】
本図に示す例において、有機層１２０の厚さは相当に薄く、例えば５０ｎｍ以下、好ましくは例えば３０ｎｍ以下である。有機層１２０の厚さがこのように薄い場合、有機層１２０の上面と下面の間で可視光（波長３８０ｎｍ以上７８０ｎｍ以下の光）による強め合いの干渉が生ずること、すなわちマイクロキャビティが生ずることが防止される。このため、発光部１６０、第１透光部１６２及び第２透光部１６４間での色差が小さくなっている。
【００４６】
詳細には、有機層１２０の上面と下面の間で可視光による強め合いの干渉が生ずるための条件は、上記した式（１）に示すようになる。有機層１２０の厚さが薄い場合、式（１）の光路長Ｌは小さいものとなる。特に有機層１２０の厚さが相当に薄い場合、いずれの整数ｍであっても、式（１）を満たし得ない。このようにして、本図に示す例では、有機層１２０の上面と下面の間で可視光（波長３８０ｎｍ以上７８０ｎｍ以下の光）による強め合いの干渉が生ずること、すなわちマイクロキャビティが生ずることが防止されている。
【００４７】
以上、本実施形態によれば、有機層１２０は、発光部１６０、第１透光部１６２及び第２透光部１６４に亘って広がっている。さらに、有機層１２０の厚さは、相当に厚く、又は相当に薄い。さらに、有機層１２０の厚さは、発光部１６０、第１透光部１６２及び第２透光部１６４に亘って実質的に一定である。このため、発光部１６０、第１透光部１６２及び第２透光部１６４の間での色差が小さくなっている。
【００４８】
さらに、本実施形態によれば、絶縁層１４０は、発光部１６０、第１透光部１６２及び第２透光部１６４に亘って広がっている。さらに、絶縁層１４０の厚さは、発光部１６０、第１透光部１６２及び第２透光部１６４に亘って実質的に一定である。このため、発光部１６０、第１透光部１６２及び第２透光部１６４の間での色差が小さくなっている。
【実施例】
【００４９】
図１１は、実施例に係る発光装置１０を示す平面図である。本実施例において、発光装置１０は、第１領域Ｒ１及び第２領域Ｒ２を備えている。第１領域Ｒ１は、第１透光領域ＴＲ１、第２透光領域ＴＲ２及び第３透光領域ＴＲ３を含んでいる。第１透光領域ＴＲ１及び第２透光領域ＴＲ２は、第３透光領域ＴＲ３の内側にある。本図に示す例では、第３透光領域ＴＲ３の面積は、第１透光領域ＴＲ１の面積及び第２透光領域ＴＲ２の面積のいずれよりも大きい。第３透光領域ＴＲ３は、第１透光領域ＴＲ１と第２透光領域ＴＲ２の間の領域（領域ＲＲ）を含んでいる。第２領域Ｒ２は、第１領域Ｒ１の外側にあり、本図に示す例では、第１領域Ｒ１を囲んでいる。第１領域Ｒ１は、第１部分領域ＰＲ１を含んでいる。また、第２領域Ｒ２はキャップ層１５０を含まなくてもよい。第１部分領域ＰＲ１は、第２領域Ｒ２に接しており、本図に示す例では、第１領域Ｒ１の外縁に沿って延伸している。
【００５０】
発光装置１０は、第１発光部１６０ａ（発光部１６０）、第２発光部１６０ｂ（発光部１６０）及び第１透光部１６２を備えている。第１発光部１６０ａは、第１透光領域ＴＲ１として機能する領域を有している。本図に示す例において、第１発光部１６０ａは、７セグメントを表示している。第２発光部１６０ｂは、第２透光領域ＴＲ２として機能する領域を有している。本図に示す例において、第２発光部１６０ｂは、＋（プラス）マークを表示している。第１透光部１６２は、第３透光領域ＴＲ３として機能する領域を有している。
【００５１】
図１１に示す発光部１６０は、実施形態に係る発光部１６０と同様である。具体的には、図３を用いて説明したように、発光部１６０は、基板１００、導電層１１０、有機層１２０、導電層１３０及びキャップ層１５０の積層を含んでいる。特に、第１発光部１６０ａ及び第２発光部１６０ｂは、図１及び図２を用いて説明したように、それぞれ、ＥＭＬ１２２ａ及びＥＭＬ１２２ｂから光を発する。
【００５２】
図１１に示す第１透光部１６２は、実施形態に係る第１透光部１６２と同様である。具体的には、図４を用いて説明したように、第１透光部１６２は、基板１００、導電層１１０、絶縁層１４０、有機層１２０、導電層１３０及びキャップ層１５０の積層を含んでいる。
【００５３】
実施形態と同様にして、第１発光部１６０ａ、第２発光部１６０ｂ及び第１透光部１６２は、共通の第１導電層（導電層１３０）（図１〜図７）を有している。言い換えると、導電層１３０は、第１発光部１６０ａ、第２発光部１６０ｂ及び第１透光部１６２に亘って広がっている。または、導電層１３０は、その一部が離間していてもよい。
【００５４】
本図に示す例において、第１透光領域ＴＲ１、第２透光領域ＴＲ２及び第３透光領域ＴＲ３を可視光（波長３８０ｎｍ以上７８０ｎｍ以下の光）が透過した場合、より具体的には、第１透光領域ＴＲ１、第２透光領域ＴＲ２及び第３透光領域ＴＲ３をＤ６５光源からの光が透過した場合、第１透光領域ＴＲ１と第３透光領域ＴＲ３の色差及び第２透光領域ＴＲ２と第３透光領域ＴＲ３の色差は、いずれもある程度小さく、ＣＩＥＬＡＢにおいて、いずれも例えば６．５以下、好ましくは例えば３．２以下である。これにより、第１透光領域ＴＲ１及び第２透光領域ＴＲ２のいずれとも目立たないようになる。
【００５５】
詳細には、一例において、第１透光領域ＴＲ１と第３透光領域ＴＲ３の色差をほぼゼロにしても、第２透光領域ＴＲ２と第３透光領域ＴＲ３の色差がある程度大きいときは、第２透光領域ＴＲ２が目立ってしまう。他の例において、第２透光領域ＴＲ２と第３透光領域ＴＲ３の色差をほぼゼロにしても、第１透光領域ＴＲ１と第３透光領域ＴＲ３の色差がある程度大きいときは、第１透光領域ＴＲ１が目立ってしまう。本図に示す例では、第１透光領域ＴＲ１と第３透光領域ＴＲ３の色差及び第２透光領域ＴＲ２と第３透光領域ＴＲ３の色差は、いずれもある程度小さい。このため、第１透光領域ＴＲ１及び第２透光領域ＴＲ２のいずれとも目立たないようになる。
【００５６】
なお、他の例において、第１透光領域ＴＲ１及び第２透光領域ＴＲ２は、第３透光領域ＴＲ３の内側になくてもよい。この例において、第１透光領域ＴＲ１及び第２透光領域ＴＲ２は、第３透光領域ＴＲ３の近傍に位置していてもよく、より具体的には、第３透光領域ＴＲ３に接していてもよい。この場合において第３透光領域ＴＲ３の面積が第１透光領域ＴＲ１の面積及び第２透光領域ＴＲ２の面積のいずれよりも大きくても、第１透光領域ＴＲ１と第３透光領域ＴＲ３の色差及び第２透光領域ＴＲ２と第３透光領域ＴＲ３の色差がいずれも上記したようにある程度小さいときは、第１透光領域ＴＲ１及び第２透光領域ＴＲ２のいずれとも目立たないようになる。
【００５７】
本図に示す例において、第１透光領域ＴＲ１、第２透光領域ＴＲ２及び第３透光領域ＴＲ３を可視光（波長３８０ｎｍ以上７８０ｎｍ以下の光）が透過した場合、より具体的には、第１透光領域ＴＲ１、第２透光領域ＴＲ２及び第３透光領域ＴＲ３をＤ６５光源からの光が透過した場合、第１透光領域ＴＲ１と第３透光領域ＴＲ３の色差及び第２透光領域ＴＲ２と第３透光領域ＴＲ３の色差は、ある程度大きく、ＣＩＥＬＡＢにおいて、いずれも例えば０．４以上である。これにより、第１透光領域ＴＲ１、第２透光領域ＴＲ２及び第３透光領域ＴＲ３の識別が可能となる。
【００５８】
詳細には、第１透光領域ＴＲ１と第３透光領域ＴＲ３の色差が０．４未満である場合、人間の視覚では第１透光領域ＴＲ１と第３透光領域ＴＲ３を識別することが困難になり、同様にして、第２透光領域ＴＲ２と第３透光領域ＴＲ３の色差が０．４未満である場合、人間の視覚では第２透光領域ＴＲ２と第３透光領域ＴＲ３を識別することが困難になる。第１透光領域ＴＲ１と、第２透光領域ＴＲ２と、第３透光領域ＴＲ３とを識別することが困難な場合、第１透光領域ＴＲ１、第２透光領域ＴＲ２及び第３透光領域ＴＲ３の検査が困難なものとなる。本図に示す例では、第１透光領域ＴＲ１と第３透光領域ＴＲ３の色差及び第２透光領域ＴＲ２と第３透光領域ＴＲ３の色差は、ある程度大きい。このため、第１透光領域ＴＲ１、第２透光領域ＴＲ２及び第３透光領域ＴＲ３の識別が可能となる。このため、第１透光領域ＴＲ１、第２透光領域ＴＲ２及び第３透光領域ＴＲ３の検査が容易なものとなる。
【００５９】
本図に示す例において、第１透光領域ＴＲ１、第２透光領域ＴＲ２及び第３透光領域ＴＲ３を可視光（波長３８０ｎｍ以上７８０ｎｍ以下の光）が透過した場合、より具体的には、第１透光領域ＴＲ１、第２透光領域ＴＲ２及び第３透光領域ＴＲ３をＤ６５光源からの光が透過した場合、ＣＩＥＬＡＢにおいて、第１透光領域ＴＲ１と第３透光領域ＴＲ３の色差及び第２透光領域ＴＲ２と第３透光領域ＴＲ３の色差は、いずれも、第１透光領域ＴＲ１と第２透光領域ＴＲ２の色差よりも小さく、言い換えると、第１透光領域ＴＲ１と領域ＲＲの色差及び第２透光領域ＴＲ２と領域ＲＲの色差は、いずれも、第１透光領域ＴＲ１と第２透光領域ＴＲ２の色差よりも小さい。これにより、第１透光領域ＴＲ１から第２透光領域ＴＲ２にかけての色差が目立つことを抑制することができる。
【００６０】
詳細には、第１透光領域ＴＲ１と第２透光領域ＴＲ２の色差は、第１透光領域ＴＲ１と第２透光領域ＴＲ２が互いに接している場合では、第１透光領域ＴＲ１と第２透光領域ＴＲ２が互いに離れている場合よりも、人間の知覚にとって際立つようになる。本図に示す例では、第１透光領域ＴＲ１と第２透光領域ＴＲ２の間に領域ＲＲが位置している。このため、仮に、第１透光領域ＴＲ１と第２透光領域ＴＲ２の色差が大きい場合であっても、第１透光領域ＴＲ１から第２透光領域ＴＲ２にかけての色差が目立つことを抑制することができる。
【００６１】
なお、第１透光領域ＴＲ１及び第２透光領域ＴＲ２を可視光（波長３８０ｎｍ以上７８０ｎｍ以下の光）が透過した場合、より具体的には、第１透光領域ＴＲ１及び第２透光領域ＴＲ２をＤ６５光源からの光が透過した場合、第１透光領域ＴＲ１と第２透光領域ＴＲ２の色差は、ＣＩＥＬＡＢにおいて、例えば０．４以上６．５以下である。
【００６２】
本図に示す例において、第１部分領域ＰＲ１及び第２領域Ｒ２を可視光（波長３８０ｎｍ以上７８０ｎｍ以下の光）が透過した場合、より具体的には、第１部分領域ＰＲ１及び第２領域Ｒ２をＤ６５光源からの光が透過した場合、第１部分領域ＰＲ１と第２領域Ｒ２の色差は、ある程度小さく、ＣＩＥＬＡＢにおいて、例えば６．５以下、好ましくは例えば３．２以下である。これにより、第１領域Ｒ１及び第２領域Ｒ２が互いに目立つことを抑制することができる。
【００６３】
詳細には、第１部分領域ＰＲ１と第２領域Ｒ２の色差がある程度大きい場合、第１領域Ｒ１と第２領域Ｒ２が互いに目立つようになる。本図に示す例では、第１部分領域ＰＲ１と第２領域Ｒ２の色差は、ある程度小さい。このため、第１領域Ｒ１及び第２領域Ｒ２が互いに目立つことを抑制することができる。
【００６４】
本図に示す例において、第１部分領域ＰＲ１及び第２領域Ｒ２を可視光（波長３８０ｎｍ以上７８０ｎｍ以下の光）が透過した場合、より具体的には、第１部分領域ＰＲ１及び第２領域Ｒ２をＤ６５光源からの光が透過した場合、第１部分領域ＰＲ１と第２領域Ｒ２の色差は、ある程度大きく、ＣＩＥＬＡＢにおいて、例えば０．４以上である。これにより、第１領域Ｒ１及び第２領域Ｒ２の識別が可能となる。
【００６５】
詳細には、第１部分領域ＰＲ１と第２領域Ｒ２の色差が０．４未満である場合、人間の視覚では第１部分領域ＰＲ１と第２透光領域ＴＲ２を識別することが困難になる。第１部分領域ＰＲ１と第２領域Ｒ２を識別することが困難な場合、第１領域Ｒ１及び第２領域Ｒ２の検査が困難なものとなる。本図に示す例では、第１部分領域ＰＲ１と第２領域Ｒ２の色差は、ある程度大きい。このため、第１領域Ｒ１及び第２領域Ｒ２の識別が可能となる。このため、第１部分領域ＰＲ１及び第２領域Ｒ２の検査が容易なものとなる。
【００６６】
以上、図面を参照して実施形態及び実施例について述べたが、これらは本発明の例示であり、上記以外の様々な構成を採用することもできる。
【符号の説明】
【００６７】
１０  発光装置
１００  基板
１０２  第１面
１０４  第２面
１１０  導電層
１１２  第１電極
１１４  ダミー導電層
１２０  有機層
１２０ａ  ＨＩＬ
１２０ｂ  ＨＴＬ
１２０ｃ  ＥＭＬ
１２０ｄ  ＥＴＬ
１２２  ＥＭＬ
１２２ａ  ＥＭＬ
１２２ｂ  ＥＭＬ
１３０  導電層
１３２  第２電極
１４０  絶縁層
１４２  開口
１５０  キャップ層
１６０  発光部
１６０ａ  第１発光部
１６０ｂ  第２発光部
１６２  第１透光部
１６４  第２透光部
１６６  第３透光部
１６８  第４透光部
ＰＲ１  第１部分領域
Ｒ１  第１領域
Ｒ２  第２領域
ＲＲ  領域
ＴＲ１  第１透光領域
ＴＲ２  第２透光領域
ＴＲ３  第３透光領域
【図１】
2018055816.tif 000003
【図２】
2018055816.tif 000004
【図３】
2018055816.tif 000005
【図４】
2018055816.tif 000006
【図５】
2018055816.tif 000007
【図６】
2018055816.tif 000008
【図７】
2018055816.tif 000009
【図８】
2018055816.tif 000010
【図９】
2018055816.tif 000011
【図１０】
2018055816.tif 000012
【図１１】
2018055816.tif 000013